【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
ストラップを取り付ける取り付け部を備えた携帯情報装置であって，
通常の画像のデータとともに，その通常の画像のデータの天地を逆転した画像のデータを記憶する画像データ記憶手段と，
前記取り付け部に連動し，前記ストラップに張力が働くときに前記取り付け部を介して第１の状態になり，前記ストラップに張力が働かないときに前記取り付け部を介して第２の状態になる切替手段と，
前記切替手段が第１の状態である場合に，前記画像データ記憶手段に記憶されている天地を逆転した画像を表示し，前記切替手段が第２の状態である場合に，前記画像データ記憶手段に記憶されている通常の画像を表示する表示制御手段とを備える
ことを特徴とする携帯情報装置。
【請求項２】
ストラップを取り付ける取り付け部を備えた携帯情報装置であって，
表示画像のデータを記憶する画像データ記憶手段と，
前記取り付け部に連動し，前記ストラップに張力が働くときに前記取り付け部を介して第１の状態になり，前記ストラップに張力が働かないときに前記取り付け部を介して第２の状態になる切替手段と，
前記切替手段が第１の状態である場合に，前記画像データ記憶手段に記憶されている表示画像のデータを天地を逆転した画像のデータに変換し，その天地を逆転した画像を表示し，前記切替手段が第２の状態である場合に，前記画像データ記憶手段に記憶されている表示画像を表示する表示制御手段とを備える
ことを特徴とする携帯情報装置。
【請求項３】
スクリーンセーバーを有する携帯情報装置であって，
操作時における画面の上方向が画像の下方向に，画面の下方向が画像の上方向に対応するように天地を逆転したスクリーンセーバーの画像データを記憶する画像データ記憶手段と，
あらかじめ定められた時間を超えて無操作状態が続いたときに，前記画像データ記憶手段に記憶された天地を逆転したスクリーンセーバーの画像データを画面に表示するスクリーンセーバーの表示制御手段とを備える
ことを特徴とする携帯情報装置。
【手続補正２】
【補正対象書類名】明細書
【補正対象項目名】００１６
【補正方法】変更
【補正の内容】
【００１６】
特に本発明は，以上のような携帯情報装置において，ストラップを取り付ける取り付け部を備え，切替手段は取り付け部に連動し，ストラップがピンと張ったときには取り付け部を介して切替手段が「表示画像の天地を逆転する」となり，ストラップが緩んだときには取り付け部を介して切替手段が「表示画像の天地を逆転しない」となることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００３５
【補正方法】変更
【補正の内容】
【００３５】
〔関連する技術の実施例〕
図４は，本発明に関連する技術の実施例における携帯情報端末の構成例を示す図である。携帯情報端末１０は，ＣＰＵ等の主制御部１０１と，操作キー，タッチパネル等の入力部１０２と，アプリケーションプログラム等の処理を行う端末情報処理部１０４と，アプリケーションプログラム等による画像表示を制御する端末表示制御部１０５と，スクリーンセーバーの起動を監視するスクリーンセーバー起動部１０６と，スクリーンセーバーの表示を制御するスクリーンセーバー表示制御部１０７と，表示するスクリーンセーバーの画像データが記憶されているスクリーンセーバーデータ記憶部１０８と，表示する画像を切替える切替部１０９と，画像を表示する表示部１１０と，スクリーンセーバーを逆転表示するか否かを設定する表示逆転設定部１１１とから構成される。
【手続補正６】
【補正対象書類名】明細書
【補正対象項目名】００３６
【補正方法】変更
【補正の内容】
【００３６】
ここで，本発明に関連する技術の実施例では，正方向のスクリーンセーバーの画像データと，上下が逆方向のスクリーンセーバーの画像データとが，あらかじめスクリーンセーバーデータ記憶部１０８に記憶されているものとする。
【手続補正７】
【補正対象書類名】明細書
【補正対象項目名】００４２
【補正方法】変更
【補正の内容】
【００４２】
図５は，本発明に関連する技術の実施例におけるスクリーンセーバー起動処理フローチャートである。まず，タイマーを起動する（ステップＳ３０）。外部からの操作を監視し（ステップＳ３１），操作が検出されれば，タイマーをリセットし（ステップＳ３２），操作に対応する処理を実行し（ステップＳ３３），ステップＳ３０に戻る。
【手続補正８】
【補正対象書類名】明細書
【補正対象項目名】００４５
【補正方法】変更
【補正の内容】
【００４５】
〔実施の形態２〕
図６は，本発明の実施の形態２における携帯情報端末の構成例を示す図である。携帯情報端末１０は，ＣＰＵ等の主制御部１０１と，操作キー，タッチパネル等の入力部１０２と，画像を逆転表示させるための切替手段である表示逆転スイッチ１０３と，アプリケーション等の処理を行う端末情報処理部１０４と，アプリケーション等による画像表示を制御する端末表示制御部１０５と，スクリーンセーバーの起動を監視するスクリーンセーバー起動部１０６と，スクリーンセーバーの表示を制御するスクリーンセーバー表示制御部１０７と，表示するスクリーンセーバーの画像データが記憶されているスクリーンセーバーデータ記憶部１０８と，表示する画像を切替える切替部１０９と，画像を表示する表示部１１０と，スクリーンセーバーの画像を上下逆転するスクリーンセーバー逆転部１１２から構成される。
【手続補正９】
【補正対象書類名】明細書
【補正対象項目名】００４６
【補正方法】変更
【補正の内容】
【００４６】
ここで，本実施の形態２では，正方向のスクリーンセーバーの画像データのみがあらかじめスクリーンセーバーデータ記憶部１０８に記憶されているものとする。
【手続補正１０】
【補正対象書類名】明細書
【補正対象項目名】００５２
【補正方法】変更
【補正の内容】
【００５２】
図７は，本実施の形態２におけるスクリーンセーバー起動処理フローチャートである。まず，タイマーを起動する（ステップＳ５０）。外部からの操作を監視し（ステップＳ５１），操作が検出されれば，タイマーをリセットし（ステップＳ５２），操作に対応する処理を実行し（ステップＳ５３），ステップＳ５０に戻る。
【手続補正１１】
【補正対象書類名】明細書
【補正対象項目名】００５５
【補正方法】変更
【補正の内容】
【００５５】
なお，本実施の形態２において，表示逆転スイッチ１０３の代わりに表示逆転設定部１１１を備える構成にしてもよい。
【手続補正１２】
【補正対象書類名】明細書
【補正対象項目名】００５６
【補正方法】変更
【補正の内容】
【００５６】
〔実施の形態３〕
実施の形態３の構成は，図４に示す本発明に関連する技術の実施例の構成例において，表示逆転設定部１１１が省かれた構成になっている。スクリーンセーバーデータ記憶部１０８には，あらかじめ操作時における表示部１０の画面の上方向が画像の下方向に，表示部１０の画面の下方向が画像の上方向に対応するように天地を逆転したスクリーンセーバーの画像データが記憶される。スクリーンセーバーデータ記憶部１０８は，あらかじめ定められた時間を超えて未操作状態が続いたときに，スクリーンセーバーデータ記憶部１０８に記憶された天地を逆転したスクリーンセーバーの画像データを切替部１０９を介して表示部１１０の画面に表示する。
【手続補正１３】
【補正対象書類名】明細書
【補正対象項目名】００５７
【補正方法】変更
【補正の内容】
【００５７】
以上，本発明の実施の形態１〜３および関連する技術の実施例について説明したが，本発明はこれらの形態に限られるものではない。例えば，本実施の形態ではスクリーンセーバーのみの上下逆転を行っているが，通常のアプリケーションプログラム（例えば，イベント案内アプリケーションなど）の画像を上下逆転表示するようにしてもよい。その場合には，例えば，表示逆転スイッチ１０３や表示逆転設定部１１１からの画像を逆転するか否かの信号を，端末表示制御部１０５に送るようにすればよい。
【手続補正１４】
【補正対象書類名】明細書
【補正対象項目名】００７２
【補正方法】変更
【補正の内容】
【００７２】
【図１】本発明の実施の形態１における携帯情報端末の構成例を示す図である。
【図２】本実施の形態１におけるスクリーンセーバー起動処理フローチャートである。
【図３】本実施の形態における表示逆転スイッチの例を説明する図である。
【図４】本発明に関連する技術の実施例における携帯情報端末の構成例を示す図である。
【図５】本発明に関連する技術の実施例におけるスクリーンセーバー起動処理フローチャートである。
【図６】本発明の実施の形態２における携帯情報端末の構成例を示す図である。
【図７】本実施の形態２におけるスクリーンセーバー起動処理フローチャートである。
【図８】本発明の実施例における携帯情報端末の使用例を示す図である。
【図９】携帯情報端末の上部にネックストラップを取り付けた場合の例を示す図である。
【図１０】携帯情報端末の下部にネックストラップを取り付けた場合の例を示す図である。